(57)【要約】【課題】既存の財布が、必要としている機能を備えていない場合や収納品が収納力を超えてしまう場合、一部収納をあきらめるか、収納力の大きい財布に買い換えるしかなかった。また使用状況に合わせて財布の機能を変化させる手段は無かった。【解決手段】折畳み式財布に装着する支持具と、これに着脱可能な付加機能を持った部品とで構成されることを特徴とする、財布の機能付加機構を提供する。折畳み式財布１の紙幣ポケットの折り目部分２に、下部のスリット３を利用して、一定の強度をもった棒状もしくは紐状の支持具４を装着し、さらに各種の機能を有した部品５を、支持具４に装着し、財布本体１に固定する。部品５は、必要に応じてさまざまな付加機能を持ったタイプを用意し、使用状況や好みにあわせて付け替えることにより、既存の財布の収納力や機能を変化させるなど、ひとつの財布をカスタマイズできる。【選択図】  図１
2011254866.tif 000002
【特許請求の範囲】
【請求項１】
折畳み式財布に装着する支持具と、付加的機能を持った着脱可能な部品とで構成された、財布の機能付加機構
【発明の詳細な説明】
【技術分野】
【０００１】
本発明は、折畳み式財布に新たな機能を付加させる機構の技術に関するものである。
【背景技術】
【０００２】
既存の折畳み式財布は、それ自体がすでに固定化された形状であり、その機能も一定である。カード類の収納機能を追加するための製品として、カード状の本体を財布のカードポケット等に差し込んで使用するビニール製のカードフォルダー等が市販されている。また、保安上、あるいはファッション性の観点から、チェーンを接続するためのカード状の製品が存在する。さらに折畳み式財布に取り付ける持ち手となる先行技術が存在する。
【０００３】
【特許文献１】特開２００８−２７９２２４
【０００４】
【特許文献２】特開２００８−１３２２１５
【発明の概要】
【発明が解決しようとする課題】
【０００５】
財布に求める機能は、紙幣の収納、硬貨の収納、クレジットカード等の収納、定期券の収納等、いろいろ考えられ、そのどれをどの程度必要とするかは、使用する人により差がある。
【０００６】
また同一人においても、仕事、レジャーなど、使用する状況によっても財布に求める機能は変化する可能性がある。
【０００７】
一方でデザインについても人それぞれ好みがあり、気に入ったデザインの財布を見つけても、自分の必要としている機能を必ずしも備えていないケースもあった。
使い慣れた財布で、気に入って使用していても、次第に収納品が増えて、収納力を超えてしまう場合、一部収納をあきらめるか、財布自体を収納力の大きい物に買い換えるしかなかった。カードポケットに差し込むタイプのカードフォルダーや、ウォレットチェーンホルダーが市販されているが、財布本体の既存のカードポケットを一ヶ所使用する必要があるうえ、強い力がかかった際、脱落する危険性があった。
【課題を解決するための手段】
【０００８】
折畳み式財布に装着する支持具と、これに着脱可能な付加機能を持った部品とで構成する財布の機能付加機構、および前述の支持具を財布本体または付加機能部品と一体構造とすることで、同様の効果をもたらす、財布の機能付加機構を提供する。
【発明の効果】
【０００９】
既存の折畳み式財布の折り目部分に各種機能を持った部品を希望あわせて装着することで、使い慣れた財布や好みのデザインの財布の機能を充実させることができる。
また、使用状況に合わせて部品を取り替えることで、仕事時、レジャー時、旅行時など希望にあわせた仕様にカスタマイズできる。
【００１０】
その際、本体の財布を加工することがないので、気に入った財布を傷付けたり、デザインを変えてしまう心配がない。さらに、公知技術であるカードポケット利用による装着方法に比べ、脱落する危険性が極めて小さい。
【図面の簡単な説明】
【００１１】
【図１】本発明の実施例を示した斜視図である。（実施例１）
【図２】本発明の支持具の一例を示した斜視図である。
【図３】本発明の支持具に硬貨入れの機能部品を接続した状態を示した側面図である。
【図４】本発明の実施例を示した斜視図である。（実施例２）
【図５】本発明の実施例を示した斜視図である。（実施例３）
【図６】本発明のフォトフレームの機能部品を示した側面図である。
【図７】本発明の支持具を一体構造で備えたカードポケットの機能部品を示した側面図である。
【図８】本発明の支持具を一体構造で備えた折畳み式財布の斜視図である。
【発明を実施するための形態】
【００１２】
以下、本発明を実施するための形態について説明する。
【００１３】
図１は硬貨入れを持たない二つ折り財布に本発明の硬貨入れ部品を装着した例である。図２は本発明の支持具の形態の一例を示したものである。図３は本発明の支持具と硬貨入れ部品の装着例を示したものである。
【００１４】
折畳み式財布１の紙幣ポケットの折り目部分２に、下部のスリット３を利用して、一定の強度をもった棒状もしくは紐状の支持具４を装着し、さらに各種の機能を有した部品（以下「機能部品」という）５を、支持具４に装着し、支持具４の両端を環状に連結することで財布本体１に取り付ける。図１では、機能部品に筒状の接続具６を設け、支持具４を通すことで接続する。支持具には、先端８の一方に丸カンを設け、もう一方を丸カンに通して、さらにナスカン等を取り付けることで環状に連結する。
【００１５】
取り付ける機能部品を、カードポケット、キーケース、フォトフレーム等さまざまなものに付け替えることで、折畳み式財布のカスタマイズが可能となる。
【実施例１】
【００１６】
図１は二つ折り財布に、本発明の支持具と硬貨入れの機能部品を取り付けた実施例を示した斜視図である。
【実施例２】
【００１７】
図４は二つ折り財布に、本発明の支持具とカードポケットの機能部品を取り付けた実施例を示した斜視図である。
【実施例３】
【００１８】
図７は、三つ折り財布に、本発明の支持具とキーケースの機能部品、およびウォレットチェーンを取り付けた実施例を示した斜視図である。
【００１９】
以上、本発明の実施形態と実施例を述べたが、本発明の範囲はこれに限定するものではない。支持具の環状連結が可能であればその方法を限定しない。機能部品と支持具との接続方法についても同様である。また、図６のように支持具と機能部品を一体構造として、折畳み式財布本体に着脱する方式、もしくは図８のように財布本体にあらかじめ支持具を一体構造として設けておき、これに機能部品を着脱する方式も本発明の範囲とする。この方式であれば、紙幣ポケット下部にスリットを持たないタイプの折畳み式財布でも本発明を実施可能である。
【００２０】
なお、図７に示すとおり、本発明の支持具にはウォレットチェーンを取り付けることも可能であるため、本発明品を利用することで、ウォレットチェーンの取り付け具を有さない折畳み式財布にウォレットチェーンを取り付けることが可能となる。
【符号の説明】
【００２１】
１  二つ折り財布本体
２  紙幣ポケット折り目
３  紙幣ポケット下部のスリット
４  支持具
５  機能部品
６  接続具
７  丸カン
８  支持具先端
９  ナスカン
10  ウォレットチェーン
【図１】
2011254866.tif 000003
【図２】
2011254866.tif 000004
【図３】
2011254866.tif 000005
【図４】
2011254866.tif 000006
【図５】
2011254866.tif 000007
【図６】
2011254866.tif 000008
【図７】
2011254866.tif 000009
【図８】
2011254866.tif 000010
【手続補正書】
【提出日】平成23年2月6日(2011.2.6)
【手続補正１】
【補正対象書類名】明細書
【補正対象項目名】全文
【補正方法】変更
【補正の内容】
【発明の詳細な説明】
【技術分野】
【０００１】
本発明は、折畳み式財布に新たな機能を付加させる機構の技術に関するものである。
【背景技術】
【０００２】
既存の折畳み式財布は、それ自体がすでに固定化された形状であり、その機能も一定である。カード類の収納機能を追加するための製品として、カード状の本体を財布のカードポケット等に差し込んで使用するビニール製のカードフォルダー等が市販されている。また、保安上、あるいはファッション性の観点から、チェーンを接続するためのカード状の製品が存在する。さらに折畳み式財布に取り付ける持ち手となる先行技術が存在する。
【０００３】
【特許文献１】特開２００８−２７９２２４
【０００４】
【特許文献２】特開２００８−１３２２１５
【発明の概要】
【発明が解決しようとする課題】
【０００５】
財布に求める機能は、紙幣の収納、硬貨の収納、クレジットカード等の収納、定期券の収納等、いろいろ考えられ、そのどれをどの程度必要とするかは、使用する人により差がある。
【０００６】
また同一人においても、仕事、レジャーなど、使用する状況によっても財布に求める機能は変化する可能性がある。
【０００７】
一方でデザインについても人それぞれ好みがあり、気に入ったデザインの財布を見つけても、自分の必要としている機能を必ずしも備えていないケースもあった。
使い慣れた財布で、気に入って使用していても、次第に収納品が増えて、収納力を超えてしまう場合、一部収納をあきらめるか、財布自体を収納力の大きい物に買い換えるしかなかった。カードポケットに差し込むタイプのカードフォルダーや、ウォレットチェーンホルダーが市販されているが、財布本体の既存のカードポケットを一ヶ所使用する必要があるうえ、強い力がかかった際、脱落する危険性があった。
【課題を解決するための手段】
【０００８】
折畳み式財布に装着する支持具と、これに着脱可能な付加機能を持った部品とで構成する財布の機能付加機構、および前述の支持具を財布本体または付加機能部品と一体構造とすることで、同様の効果をもたらす、財布の機能付加機構を提供する。
【発明の効果】
【０００９】
既存の折畳み式財布の折り目部分に各種機能を持った部品を希望あわせて装着することで、使い慣れた財布や好みのデザインの財布の機能を充実させることができる。
また、使用状況に合わせて部品を取り替えることで、仕事時、レジャー時、旅行時など希望にあわせた仕様にカスタマイズできる。
【００１０】
その際、本体の財布を加工することがないので、気に入った財布を傷付けたり、デザインを変えてしまう心配がない。さらに、公知技術であるカードポケット利用による装着方法に比べ、脱落する危険性が極めて小さい。
【図面の簡単な説明】
【００１１】
【図１】本発明の実施例を示した斜視図である。（実施例１）
【図２】本発明の環状連結方法による支持具の一例を示した斜視図である。
【図３】本発明の支持具に硬貨入れの機能部品を接続した状態を示した側面図である。
【図４】本発明の実施例を示した斜視図である。（実施例２）
【図５】本発明の実施例を示した斜視図である。（実施例３）
【図６】本発明のフォトフレームの機能部品を示した側面図である。
【図７】本発明の支持具を一体構造で備えたカードポケットの機能部品を示した側面図である。
【図８】本発明の支持具を一体構造で備えた折畳み式財布の斜視図である。
【図９】本発明のはめ込み方法による支持具の一例を示した斜視図である。
【発明を実施するための形態】
【００１２】
以下、本発明を実施するための形態について説明する。
【００１３】
図１は硬貨入れを持たない二つ折り財布に本発明の硬貨入れ部品を装着した例である。図２は本発明の支持具の形態の一例を示したものである。図３は本発明の支持具と硬貨入れ部品の装着例を示したものである。
【００１４】
折畳み式財布１の紙幣ポケットの折り目部分２に、下部のスリット３を利用して、一定の強度をもった棒状もしくは紐状の支持具４を装着し、さらに各種の機能を有した部品（以下「機能部品」という）５を、支持具４に装着し、支持具４の両端を環状に連結することで財布本体１に取り付ける。図１では、機能部品に筒状の接続具６を設け、支持具４を通すことで接続する。支持具には、先端８の一方に丸カンを設け、もう一方を丸カンに通して、さらにナスカン等を取り付けることで環状に連結する。
【００１５】
取り付ける機能部品を、カードポケット、キーケース、フォトフレーム等さまざまなものに付け替えることで、折畳み式財布のカスタマイズが可能となる。
【実施例１】
【００１６】
図１は二つ折り財布に、本発明の支持具と硬貨入れの機能部品を取り付けた実施例を示した斜視図である。
【実施例２】
【００１７】
図４は二つ折り財布に、本発明の支持具とカードポケットの機能部品を取り付けた実施例を示した斜視図である。
【実施例３】
【００１８】
図７は、三つ折り財布に、本発明の支持具とキーケースの機能部品、およびウォレットチェーンを取り付けた実施例を示した斜視図である。
【００１９】
以上、本発明の実施形態と実施例を述べたが、本発明の範囲はこれに限定するものではない。支持具の環状連結方法はこれを限定しない。機能部品と支持具との接続方法についても、これを限定しない。また図９のように、支持具を環状連結形状とせず、硬質の素材で整形し、クリップのように財布の折り目部分にはめ込むことにより固定する実施方法も本考案に含む。さらに、図６のように支持具と機能部品を一体構造として、折畳み式財布本体に着脱する方式、もしくは図８のように財布本体にあらかじめ支持具を一体構造として設けておき、これに機能部品を着脱する方式も本発明の範囲とする。この方式であれば、紙幣ポケット下部にスリットを持たないタイプの折畳み式財布でも本発明を実施可能である。
【００２０】
なお、図７に示すとおり、本発明の支持具にはウォレットチェーンを取り付けることも可能であるため、本発明品を利用することで、ウォレットチェーンの取り付け具を有さない折畳み式財布にウォレットチェーンを取り付けることが可能となる。
【符号の説明】
【００２１】
１  二つ折り財布本体
２  紙幣ポケット折り目
３  紙幣ポケット下部のスリット
４  支持具
５  機能部品
６  接続具
７  丸カン
８  支持具先端
９  ナスカン
10  ウォレットチェーン
【手続補正３】
【補正対象書類名】図面
【補正対象項目名】図９
【補正方法】追加
【補正の内容】
【図９】
2011254866.tif 000011